(57)【要約】【課題】横通しの建具において、枠体の角部に取り付けられた部材と障子との干渉を抑制することができる建具を提供する。【解決手段】建具は、四方枠状に形成された枠体と、枠体内に開閉可能に設けられ、框体２０を有する障子と、を備え、框体２０は、上下方向に離間して配置された一対の横框と、一対の横框の左右方向の各端部どうしを連結する縦框２３と、を有し、縦框２３の上端部は一対の横框のうち上側に配置された上框２１に当接配置されるとともに、縦框２３の下端部は一対の横框のうち下側に配置された下框に当接配置され、上框２１の左右方向の両端部及び下框の左右方向の両端部の少なくとも一箇所には、左右方向の中央側に凹む凹部ｅ１が形成されていることを特徴とする。【選択図】図６
2019173356.tif 000002
【特許請求の範囲】
【請求項１】
四方枠状に形成された枠体と、
該枠体内に開閉可能に設けられ、框体を有する障子と、を備え、
前記框体は、上下方向に離間して配置された一対の横框と、該一対の横框の左右方向の各端部どうしを連結する縦框と、を有し、
前記縦框の上端部は前記一対の横框のうち上側に配置された上框に当接配置されるとともに、前記縦框の下端部は前記一対の横框のうち下側に配置された下框に当接配置され、
前記上框の左右方向の両端部及び前記下框の左右方向の両端部の少なくとも一箇所には、左右方向の中央側に凹む凹部が形成されていることを特徴とする建具。
【請求項２】
前記枠体の角部の内周面に設けられた滑車と、
該滑車に掛けられた線状部材と、を備え、
前記障子は、前記線状部材により、開閉可能に構成されている請求項１に記載の建具。
【発明の詳細な説明】
【技術分野】
【０００１】
本発明は、建具に関するものである。
【背景技術】
【０００２】
従来から、枠体と、枠体内に設けられた障子と、を備え、障子が枠体に設けられた滑車を介してワイヤーにより拘束されるように構成された突出し窓や外倒し窓等の建具が知られている（例えば、下記の特許文献１参照）。
【先行技術文献】
【特許文献】
【０００３】
【特許文献１】実開平０２−９１８８３号公報
【発明の概要】
【発明が解決しようとする課題】
【０００４】
しかしながら、特許文献１に記載のような建具では、ワイヤーや滑車等の枠体の角部に取り付けられた部材（以下、コーナー部材と称する。）が障子に接触すると、障子の開閉時に異音が発生したり、コーナー部材や障子が破損したりする虞がある。
また、特に、障子の縦框の上下端面にそれぞれ上框及び下框が連結された、いわゆる横通し（横勝ち）の框体では、コーナー部材の設置スペースを確保するために、縦枠や縦框の見付け面の幅（左右方向に沿う面の幅）を幅広にする必要があり、意匠性が悪いという問題点がある。
【０００５】
そこで、本発明は、上記事情に鑑みてなされたものであり、枠体の角部に取り付けられた部材と障子との干渉を抑制することができる建具を提供する。
【課題を解決するための手段】
【０００６】
上記目的を達成するために、本発明は以下の手段を採用している。
すなわち、本発明に係る建具は、四方枠状に形成された枠体と、該枠体内に開閉可能に設けられ、框体を有する障子と、を備え、前記框体は、上下方向に離間して配置された一対の横框と、該一対の横框の左右方向の各端部どうしを連結する縦框と、を有し、前記縦框の上端部は前記一対の横框のうち上側に配置された上框に当接配置されるとともに、前記縦框の下端部は前記一対の横框のうち下側に配置された下框に当接配置され、前記上框の左右方向の両端部及び前記下框の左右方向の両端部の少なくとも一箇所には、左右方向の中央側に凹む凹部が形成されていることを特徴とする。
【０００７】
このように構成された建具は、縦框の上端部は上框に当接配置されるとともに、縦框の下端部は下框に当接配置された、いわゆる横通し（横勝ち）の框体を有している。
この建具において、上框の左右方向の両端部及び下框の左右方向の両端部の少なくとも一箇所に、左右方向の中央側に凹む凹部が形成されている。よって、枠体の角部の内周面に部材を取り付けて当該部材を凹部に配置可能であるため、枠体の角部に取り付けられた部材と上框及び下框の少なくとも一方との干渉を抑制することができる。
【０００８】
また、本発明に係る建具は、前記枠体の角部の内周面に設けられた滑車と、該滑車に掛けられた線状部材と、を備え、前記障子は、前記線状部材により、開閉可能に構成されていることが好ましい。
【０００９】
このように構成された建具では、障子は、滑車に掛けられた線状部材により、開閉可能に構成されている。この建具において、滑車は枠体の角部に設けられた滑車及び滑車に掛けられた線状部材が凹部に配置可能であり、滑車及び線状部材と上框及び下框の少なくとも一方との干渉を抑制することができる。
【発明の効果】
【００１０】
本発明に係る建具によれば、枠体の角部に取り付けられた部材と障子との干渉を抑制することができる。
【図面の簡単な説明】
【００１１】
【図１】本発明の一実施形態に係る建具が閉じた状態を屋外側から見た正面図である。
【図２】本発明の一実施形態に係る建具が開いた状態を屋外側から見た斜視図である。
【図３】本発明の一実施形態に係る建具の縦断面図である。
【図４】本発明の一実施形態に係る建具の横断面図である。
【図５】本発明の一実施形態に係る建具の枠体の上部の角部を示す斜視図である。
【図６】本発明の一実施形態に係る建具の框体の上部角部及び滑車を示す斜視図である。
【図７】本発明の一実施形態に係る建具の上框を上方から見た図である。
【図８】本発明の一実施形態に係る建具の框体の下部角部及び滑車を示す斜視図である。
【発明を実施するための形態】
【００１２】
以下、本発明の一実施形態に係る建具の一例として段窓について、図１から図８に基づいて説明する。
図１は、本発明の一実施形態に係る建具が閉じた状態を屋外側から見た正面図である。図２は、本発明の一実施形態に係る建具が開いた状態を屋外側から見た斜視図である。
図１及び図２に示すように、本実施形態による段窓１００は、建築物に形成された開口部に取り付けられる段窓枠体１と、段窓枠体１内の上側に配置された突出し窓２と、段窓枠体１内の下側に配置されたＦＩＸ窓（嵌め殺し窓）３と、を備えている。突出し窓２は、障子２Ａの上端部を中心にして下端部を屋内外方向に回動させて段窓枠体１内を開放し、後述する開閉機構５（図２参照。以下同じ。）により開閉が可能な、いわゆる排煙窓である。
なお、以下の説明において、屋外側と屋内側とを結ぶ方向を屋内外方向と称する。また、開口部が壁部を貫通する方向（壁部に対向する方向）から見た際の左側と右側を結ぶ水平方向を左右方向と称する。
【００１３】
段窓枠体１は、左右方向に延在する上枠１１及び下枠１２と、上枠１１の両端部と下枠１２の両端部とをそれぞれ連結し上下方向に延在する縦枠１３と、各縦枠１３の上下方向の中間どうしを連結する無目１４（図２参照。以下同じ。）と、有している。
【００１４】
ＦＩＸ窓３は、無目１４、下枠１２及び縦枠１３の下部により形成された四方枠１５の内部に嵌め込まれた窓ガラス１８を有している。
【００１５】
以下において、突出し窓２の構成について説明する。
突出し窓２は、上枠１１、無目１４及び縦枠１３の上部により形成された四方枠（枠体）１６の内部に配置された障子２Ａを有している。
【００１６】
障子２Ａは、四方枠状に形成された框体２０と、框体２０内に嵌め込まれた窓ガラス２８と、を有している。
【００１７】
図３は、段窓１００の縦断面図である。図４は、段窓１００の突出し窓２部分の横断面図である。
図３及び図４に示すように、框体２０は、左右方向に延在する上框（横框）２１及び下框（横框）２２と、上框２１の両端部と下框２２の両端部とをそれぞれ連結し上下方向に延在する縦框２３と、有している。
【００１８】
上框２１、下框２２及び縦框２３における窓ガラス２８に対向する側には、それぞれ窓ガラス２８から離間する方向に凹むガラス溝２７が形成されている。ガラス溝２７内に、窓ガラス２８の周縁部が配置されている。下框２２、縦框２３の屋外側には、それぞれ下押縁３２、縦押縁３３が設けられ、窓ガラス２８の周縁部を屋内側に押圧している。
【００１９】
図１及び図２に示すように、各縦框２３の上端部は、上框２１の左右方向の端部の下端部に連結されている。各縦框２３の下端部は、下框２２の左右方向の端部の上端部に連結されている。各縦押縁３３の上端部は、上框２１の左右方向の端部の下端部に連結されている。各縦押縁３３の下端部は、下押縁３２の左右方向の端部の上端部に連結されている。つまり、上框２１及び下框２２がそれぞれ縦框２３に勝つ、いわゆる横通し（横勝ち）で框体２０は組まれている。
【００２０】
図４に示すように、縦框２３の屋外側には、縦枠１３側を向く面に気密材１０９が設けられている。気密材１０９は、縦枠１３に当接可能とされている。
【００２１】
次に、障子２Ａを開閉させる開閉機構５の構成について説明する。
図２に示すように、開閉機構５は、転向滑車（滑車）５０１，５０２と、枠滑車５１１，５１２と、障子滑車５２１，５２２と、ワイヤー（線状部材）Ｗと、操作ボックス５３０と、ダンパー５４０と、を有している。
【００２２】
転向滑車５０１は、四方枠１６の上部角部の内周面、詳細には上枠１１の左右方向の一方側（本実施形態では、屋外側から見て右側）の端部に取り付けられている。図３（図３ではワイヤーＷの図示を省略している）に示すように、転向滑車５０１は、上枠１１における上框２１の上方に配置された下面板部１０４に取り付けられている。
【００２３】
図５は、四方枠１６の上部角部を示す斜視図である。
図３及び図５に示すように、転向滑車５０１は、下面板部１０４に固定されたケース部５０４と、屋内外方向を軸線方向として回転可能にケース部５０４に保持された滑車部５０５と、を有している。
【００２４】
図３に示すように、転向滑車５０２は、四方枠１６の下部角部の内周面、詳細には無目１４の左右方向の一方側の端部に取り付けられている。転向滑車５０２は、無目１４における下框２２の下方に配置された上面板部１４１に取り付けられている。転向滑車５０２は、上面板部１４１に固定されたケース部５０６と、屋内外方向を軸線方向として回転可能にケース部５０６に保持された滑車部５０７と、を有している。
【００２５】
枠滑車５１１，５１２は、無目１４の左右方向の中間にそれぞれに取り付けられている（枠滑車５１２は図２参照）。枠滑車５１１，５１２は、左右方向に離間して配置されている。枠滑車５１１は、枠滑車５１２よりも転向滑車５０２に近接する側（本実施形態では、屋外側から見て右側）に配置されている。枠滑車５１１，５１２は、無目１４の上面板部１４１に取り付けられている。枠滑車５１１，５１２は、上面板部１４１に固定されたケース部５１４と、上下方向を軸線方向として回転可能にケース部５１４に保持された滑車部５１５と、を有している。
【００２６】
障子滑車５２１，５２２は、下框２２の左右方向の中間にそれぞれに取り付けられている（障子滑車５２２は図２参照）。障子滑車５２１，５２２は、左右方向に離間して配置されている。障子滑車５２１は、障子滑車５２２よりも、障子２Ａが閉じた状態で転向滑車５０２に近接する側（本実施形態では、屋外側から見て右側）に配置されている。障子滑車５２１，５２２は、下框２２における無目１４の上方に配置される下部框部２２４に取り付けられている。障子滑車５２１，５２２は、下部框部２２４に固定されたケース部５２４と、上下方向を軸線方向として回転可能にケース部５２４に保持された滑車部５２５と、を有している。
【００２７】
図２に示すように、ワイヤーＷは、一端部が無目１４に止着され、枠滑車５１２，障子滑車５２２，５２１、枠滑車５１１、転向滑車５０２，５０１の順に掛けられて、他端部が操作ボックス５３０内に繰り出し可能に設けられている。ワイヤーＷには、障子２Ａを閉じる閉方向の張力が付与されている。
【００２８】
本実施形態では、操作ボックス５３０は、突出し窓２の左右方向の他方側（本実施形態では、屋外側から見て左側）の壁部等に設けられている。操作ボックス５３０には、ボタンやハンドル等の操作部（不図示。以下同じ。）の操作により、ワイヤーＷの繰り出し及び巻き取りを可能とする操作機構（不図示。以下同じ。）が設けられている。
【００２９】
ダンパー５４０は、各縦枠１３と対応する各縦框２３との間に設けられている。ダンパー５４０は、障子２Ａを開く開方向の力が付与されている。
【００３０】
転向滑車５０１，５０２が設けられる箇所、つまり左右方向の端部では、上框２１及び下框２２が、転向滑車５０１，５０２及びワイヤーＷと干渉しない構成とされている。
上框２１の構成について説明する。
図３に示すように、上框２１は、第１框上板部２０１と、傾斜框板部２０２と、第２框上板部２０３と、外側框板部２０４と、内側框板部２０５と、第１框下板部２０６と、第２框下板部２０７と、溝形成部２０８と、を有している。本実施形態では、上框２１はアルミニウム等の金属部材で構成されている。
【００３１】
第１框上板部２０１は、板状に形成されている。第１框上板部２０１は、板面を上下方向に向けて配置されている。
【００３２】
傾斜框板部２０２は、第１框上板部２０１の屋内側の端部に接続され、下方に向かうにしたがって次第に屋内側に傾斜するように設けられている。傾斜框板部２０２の上端部は、第１框上板部２０１の上面よりも上方に突出している。
【００３３】
第２框上板部２０３は、傾斜框板部２０２の屋内側の端部から屋内側に向かって延びている。第２框上板部２０３は、板状に形成されている。第２框上板部２０３は、板面を上下方向に向けて配置されている。
【００３４】
第１框上板部２０１、傾斜框板部２０２及び第２框上板部２０３は、上框２１の上面を構成している。第１框上板部２０１、傾斜框板部２０２及び第２框上板部２０３は、上枠１１の下面板部１０４の下方に空間部Ｓ１を有して配置されている。
【００３５】
外側框板部２０４は、第１框上板部２０１の屋外側の端部から鉛直下方に延び、上下方向の中間部では下方に向かうにしたがって次第に屋外側に向かうように傾斜し、下端部では鉛直下方に延びている。
【００３６】
内側框板部２０５は、第２框上板部２０３の屋内側の端部から下方に延びている。内側框板部２０５は、板状に形成されている。内側框板部２０５は、板面を屋内外方向に向けて配置されている。
【００３７】
第１框下板部２０６は、外側框板部２０４の下端部から屋内側に向かって延びている。第１框下板部２０６は、板状に形成されている。第１框下板部２０６は、板面を上下方向に向けて配置されている。
【００３８】
第２框下板部２０７は、内側框板部２０５の下端部から屋外側に向かって延びている。第２框下板部２０７は、板状に形成されている。第２框下板部２０７は、板面を上下方向に向けて配置されている。
【００３９】
溝形成部２０８は、第１框下板部２０６と第２框下板部２０７との間に設けられている。溝形成部２０８は、上方に凹む形状をなしている。溝形成部２０８は、窓ガラス２８の周縁部が配置されるガラス溝２７を構成している。
【００４０】
図６は、突出し窓２の框体２０の上部角部及び転向滑車５０１を示す斜視図である。図７は、突出し窓２の上框２１を上方から見た図である。なお、図７において、後述するエンドキャップ２１０を二点鎖線で示している。
図６及び図７に示すように、上框２１の屋内側の部分において、左右方向の両端部（図６では左右方向の一方の端部を図示）２１ａ（図７参照。以下同じ。）には、左右方向の中央側に凹む凹部（図７参照。以下同じ。）ｅ１が形成されている。
【００４１】
図７に示すように、上框２１の端部２１ａは、上框２１の他の部分の端部２１ｂ（図７参照。以下同じ。）よりも左右方向の中央側に配置されている。本実施形態では、上框２１の端部２１ａは、第１框上板部２０１（図３参照。以下同じ。）の屋内側の部分、内側框板部２０５及び第２框下板部２０７（図３参照。以下同じ。）における左右方向の端部である。
【００４２】
図６に示すように、上框２１の左右方向の両端部には、それぞれエンドキャップ２１０が嵌め込まれている。
【００４３】
エンドキャップ２１０は、上框２１の端部２１ａ，２１ｂに対応した形状をなしている。エンドキャップ２１０は、見込み面キャップ部２１１と、見付け面キャップ部２１２と、凹部キャップ部２１３と、周縁キャップ部２１４と、を有している。
【００４４】
見込み面キャップ部２１１は、上框２１の端部２１ｂに沿って配置されている。見込み面キャップ部２１１は、板状に形成されている。見込み面キャップ部２１１は、板面を左右方向に向けて配置されている。
【００４５】
見付け面キャップ部２１２は、見込み面キャップ部２１１の屋内側の端部に接続されている。見付け面キャップ部２１２は、見込み面キャップ部２１１の屋内側の端部から左右方向の中央側に延びている。見付け面キャップ部２１２は、板状に形成されている。見付け面キャップ部２１２は、板面を屋内外方向に向けて配置されている。
【００４６】
凹部キャップ部２１３は、上框２１の端部２１ａに沿って配置されている。凹部キャップ部２１３は、見込み面キャップ部２１１よりも左右方向の中央側に配置されている。
【００４７】
凹部キャップ部２１３は、見付け面キャップ部２１２の左右方向の中央側の端部に接続されている。凹部キャップ部２１３は、見付け面キャップ部２１２の左右方向の中央側の端部から屋内側に延びている。凹部キャップ部２１３は、板状に形成されている。凹部キャップ部２１３は、板面を左右方向に向けて配置されている。
【００４８】
周縁キャップ部２１４は、見込み面キャップ部２１１、見付け面キャップ部２１２及び凹部キャップ部２１３の周縁部から、上框２１の外周面に沿って延びている。
【００４９】
本実施形態では、転向滑車５０１は、上框２１の凹部ｅ１よりも僅かに上方に配置されている。換言すると、転向滑車５０１は、上框２１の端部２１ａに沿って設けられた凹部キャップ部２１３よりも僅かに側方且つ上方に配置されている。なお、転向滑車５０１が凹部ｅ１に配置されていてもよい。
【００５０】
次に、下框２２の構成について説明する。
図３に示すように、下框２２は、上部框板部２２１と、内側框板部２２２と、中間框板部２２３と、下部框部２２４と、外側框板部２２５と、を有している。本実施形態では、下框２２はアルミニウム等の金属部材で構成されている。
【００５１】
上部框板部２２１は、板状に形成されている。上部框板部２２１は、板面を上下方向に向けて配置されている。
【００５２】
内側框板部２２２は、上部框板部２２１の屋内側の端部に接続され、上下方向に延びている。内側框板部２２２は、板状に形成されている。内側框板部２２２は、板面を屋内外方向に向けて配置されている。
【００５３】
中間框板部２２３は、上部框板部２２１の屋外側の端部に設けられている。中間框板部２２３は、上部框板部２２１の屋外側の端部から下方に延びている。中間框板部２２３は、板状に形成されている。中間框板部２２３は、板面を屋内外方向に向けて配置されている。
【００５４】
下部框部２２４は、内側框板部２２２の下部と中間框板部２２３の下端部とを接続している。下部框部２２４は、板状をなすとともに、屋内側に上方に凹む凹溝２２６が形成されている。下部框部２２４は、板面を上下方向に向けて配置されている。下部框部２２４の屋外側の端部は、中間框板部２２３よりも屋外側に張り出している。
【００５５】
下部框部２２４は、無目１４の上面板部１４１の上方に空間部Ｓ２を有して配置されている。中間框板部２２３及び下部框部２２４は、窓ガラス２８の周縁部が配置されるガラス溝２７を構成している。
【００５６】
外側框板部２２５は、下部框部２２４の屋外側の端部に接続され、上下方向に延びている。外側框板部２２５は、板状に形成されている。外側框板部２２５は、板面を屋内外方向に向けて配置されている。外側框板部２２５には、下押縁３２が嵌合されている。下押縁３２は、外側框板部２２５の屋外側を向く面に沿って配置されている。
【００５７】
図８は、突出し窓２の框体２０の下部角部及び転向滑車５０２を示す斜視図である。
図８に示すように、下框２２の屋内側の部分において、左右方向の両端部（図８では左右方向の一方の端部を図示）２２ａには、左右方向の中央側に凹む凹部ｅ２が形成されている。
【００５８】
下框２２の端部２２ａは、下框２２の他の部分の端部２２ｂよりも左右方向の中央側に配置されている。本実施形態では、下框２２の端部２２ａは、上部框板部２２１（図３参照。以下同じ。）の屋内側の部分、内側框板部２２２（図３参照。以下同じ。）及び下部框部２２４（図３参照。以下同じ。）の屋内側の部分における左右方向の端部である。
【００５９】
下框２２の左右方向の両端部には、それぞれエンドキャップ２３０が嵌め込まれている。
【００６０】
エンドキャップ２３０は、下框２２の端部２２ａ，２２ｂに対応した形状をなしている。エンドキャップ２３０は、見込み面キャップ部２３１と、見付け面キャップ部２３２と、凹部キャップ部２３３と、周縁キャップ部２３４と、を有している。
【００６１】
見込み面キャップ部２３１は、下框２２の端部２２ｂに沿って配置されている。見付け面キャップ部２３２は、見込み面キャップ部２３１の屋内側の端部に接続されている。見付け面キャップ部２３２は、見込み面キャップ部２３１の屋内側の端部から左右方向の中央側に延びている。
【００６２】
凹部キャップ部２３３は、下框２２の端部２２ａに沿って配置されている。凹部キャップ部２３３は、見込み面キャップ部２３１よりも左右方向の中央側に配置されている。凹部キャップ部２３３は、見付け面キャップ部２３２の左右方向の中央側の端部に接続されている。凹部キャップ部２３３は、見付け面キャップ部２３２の左右方向の中央側の端部から屋内側に延びている。
【００６３】
周縁キャップ部２３４は、見込み面キャップ部２３１、見付け面キャップ部２３２及び凹部キャップ部２３３の周縁部から、下框２２の外周面に沿って延びている。
【００６４】
本実施形態では、転向滑車５０２は、下框２２の凹部ｅ２よりも僅かに下方に配置されている。換言すると、転向滑車５０２は、下框２２の端部２２ａに沿って設けられた凹部キャップ部２３３よりも僅かに側方且つ下方に配置されている。なお、転向滑車５０２が凹部ｅ２に配置されていてもよい。
【００６５】
次に、障子２Ａの上端部を中心にして下端部を屋内外方向に回動させる回動機構４について説明する。
【００６６】
図３に示すように、回動機構４は、上枠１１に設けられた支持体４１と、上框２１に設けられた回動体４２と、上框２１に連結された外れ止め部材４３と、を備えている。
【００６７】
支持体４１は、上枠１１の下面板部１０４の屋外側の部分から下方に垂下している。支持体４１の先端部（下端部）には、円弧軸支持部４１２が設けられている。円弧軸支持部４１２は、屋外側且つ上方に向けて開放する形状をなしている。
【００６８】
回動体４２は、上框２１の第１框上板部２０１の屋外側の端部から上方に延びている。回動体４２の先端部には、左右方向を向く軸線に沿って配置された回動軸部４２３が設けられている。回動軸部４２３は、円弧軸支持部４１２の上面に回動自在に支持されている。
【００６９】
外れ止め部材４３は、支持体４１の屋内側に配置されている。外れ止め部材４３の屋内側の端部には、上框２１の傾斜框板部２０２に螺子固定される取付部４３１が設けられている。外れ止め部材４３の屋外側の端部には、支持体４１の円弧軸支持部４１２の屋内側を向く面に対応した形状をなす円弧挟持部４３４が設けられている。外れ止め部材４３の円弧挟持部４３４と回動体４２の回動軸部４２３とで、支持体４１の円弧軸支持部４１２を屋内外方向に挟持している。
【００７０】
上記の開閉機構５及び回動機構４では、図１に示す障子２Ａが四方枠１６内を閉塞する閉位置から、図２に示す操作ボックス５３０の操作部を操作すると、ワイヤーＷに付与された張力が解除され、障子２Ａはダンパー５４０から開方向への力を受ける。これにより、操作ボックス５３０からワイヤーＷが繰り出される。
【００７１】
図３に示す障子２Ａの回動体４２の回動軸部４２３は、上枠１１の支持体４１の円弧軸支持部４１２に支持されつつ左右方向を向く軸線を中心に回動する。回動軸部４２３は、円弧軸支持部４１２の内周面に沿って移動する。上框２１に連結された外れ止め部材４３では、円弧挟持部４３４が、円弧軸支持部４１２の外周面に沿って移動する。このようにして、障子２Ａの下端部側が屋外側に移動するように、障子２Ａが四方枠１６内を開放する開位置に移動する。
【００７２】
このように構成された段窓１００の突出し窓２では、上框２１及び下框２２の左右方向の両端部２１ａ，２２ａには、それぞれ左右方向の中央側に凹むように凹部ｅ１，ｅ２が形成され、凹部ｅ１，ｅ２には凹部キャップ部２１３，２３３が設けられている。四方枠１６の上部角部及び下部角部に転向滑車５０１，５０２を取り付けて、転向滑車５０１を凹部ｅ１のわずかに上方且つ転向滑車５０２を凹部ｅ２のわずかに下方に配置しているため、転向滑車５０１，５０２と上框２１及び下框２２との干渉を抑制することができる。
また、転向滑車５０１，５０２及び転向滑車５０１，５０２に掛けられたワイヤーＷをそれぞれ凹部ｅ１，ｅ２内に配置して、転向滑車５０１，５０２と上框２１及び下框２２との干渉を抑制することもできる。
【００７３】
また、上框２１及び下框２２の凹部ｅ１，ｅ２の側方（左右方向の中央側と反対側）に配置されたワイヤーＷのうち上下方向を向く部分Ｗ１（図６及び図８参照）が多少動いても、ワイヤーＷの部分Ｗ１が上框２１及び下框２２と干渉することを抑制することができる。
【００７４】
また、転向滑車５０１を凹部ｅ１よりもわずかに上方という狭い空間に配置するとともに、転向滑車５０２を凹部ｅ２よりもわずかに下方という狭い空間に配置することができる。よって、縦枠１３や縦框２３の見付け面（左右方向に沿う面）の幅を小さくでき、意匠性を向上させることができる。
【００７５】
また、上框２１及び下框２２には、左右方向の両端部に凹部ｅ１，ｅ２が形成され、転向滑車５０１，５０２は上枠１１及び下枠１２の左右方向の一方側（屋外側から見て右側）の端部に取り付けられている。よって、施工現場で、開閉機構５を左右反転に設置、つまり転向滑車５０１，５０２の設置位置を上枠１１及び下枠１２の左右方向の他方側（屋外側から見て左側）の端部に取り付けるように、現場対応することができる。
【００７６】
また、平面視で、凹部ｅ１，ｅ２は、縦框２３に設けられた気密材１０９よりも屋外側に配置されているため、転向滑車５０１，５０２及びワイヤーＷ１０９の屋内側で気密性を確保することができる。
【００７７】
なお、上述した実施の形態において示した各構成部材の諸形状や組み合わせ等は一例であって、本発明の主旨から逸脱しない範囲において設計要求等に基づき種々変更可能である。
【００７８】
例えば、上記に示す実施形態では、突出し窓２がＦＩＸ窓３と上下方向に並んで配置された段窓１００について説明したが、本発明はこれに限られず、少なくとも突出し窓２が設置されていればよい。例えば、突出し窓のみが設置される構成や、突出し窓が他の窓と左右方向に並んで配置された連窓であってもよい。
【００７９】
また、上記に示す実施形態では、上框２１の左右方向の両端部２１ａに凹部ｅ１が形成され、且つ下框２２の左右方向の両端部２２ａに凹部ｅ２が形成されているが、本発明はこれに限られない。上框の左右方向の両端部及び下框の左右方向の両端部の少なくとも一箇所に凹部が設けられていればよい。
【００８０】
また、上記示す実施形態では、四方枠１６の角部に開閉機構５が設けられているが、本発明はこれに限られず、枠体の角部に配置されるものは適宜設定可能である。
【符号の説明】
【００８１】
１…段窓枠体
２…突出し窓
２Ａ…障子
３…ＦＩＸ窓
４…回動機構
５…開閉機構
１１…上枠
１２…下枠
１３…縦枠
１４…無目
１６…四方枠（枠体）
２０…框体
２１…上框（横框）
２２…下框（横框）
２３…縦框
２７…ガラス溝
２８…窓ガラス
３２…下押縁
３３…縦押縁
４１…支持体
４２…回動体
４３…外れ止め部材
１００…段窓
１０４…下面板部
２０１…第１框上板部
２１３…凹部キャップ部
４１２…円弧軸支持部
４２３…回動軸部
４３４…円弧挟持部
５０１，５０２…転向滑車（滑車）
ｅ１，ｅ２…凹部
Ｗ…ワイヤー（線状部材）
【図１】
2019173356.tif 000003
【図２】
2019173356.tif 000004
【図３】
2019173356.tif 000005
【図４】
2019173356.tif 000006
【図５】
2019173356.tif 000007
【図６】
2019173356.tif 000008
【図７】
2019173356.tif 000009
【図８】
2019173356.tif 000010